(57)【特許請求の範囲】
【請求項１】
容器体がセットされる拡散器本体に、前記容器体の吸上芯を加熱する加熱部と、前記吸上芯より蒸散した薬剤を外部に揮散する揮散穴と、当該拡散器本体内に空気を取り込む為の空気取入口とが設けられた拡散器において、
前記空気取入口を、前記加熱部が設けられた高さ位置と前記揮散穴が設けられた高さ位置との間に設ける一方、
前記拡散器本体に、該拡散器本体の内側面に沿ってスライドして前記空気取入口の開口面積を可変するスライド板を設け、前記内側面に対向するとともに該内側面との間に通流経路を形成する対向面を前記スライド板に設け、当該対向面によって前記空気取入口と前記加熱部との間に配置される邪魔板を構成したことを特徴とする拡散器。
【発明の詳細な説明】
【技術分野】
【０００１】
本発明は、薬剤を気化して拡散させる拡散器に関する。
【背景技術】
【０００２】
従来、薬剤瓶に収容された液状薬剤を気化して放出する際には、拡散器が用いられていた（例えば、特許文献１）。
【０００３】
この拡散器の拡散器本体には、セットされた薬剤瓶の吸上芯を加熱するヒータが設けられており、前記吸上芯で吸い上げられた薬剤を加熱して蒸散効率を高められるように構成されている。
【０００４】
前記拡散器本体の側面下部には、空気取入口が設けられており、前記ヒータより下方から空気を取り込めるように構成されている。これにより、前記空気取入口から取り込まれた空気を前記ヒータで加熱して上昇気流を発生し、上部に開設された蒸散口から拡散できるように構成されている。
【特許文献１】特開２００２−２００１５５号公報
【発明の開示】
【発明が解決しようとする課題】
【０００５】
しかしながら、このような拡散器にあっては、空気取入口からヒータまでの経路長が長く、循環効率が悪かった。
【０００６】
本発明は、このような従来の課題に鑑みてなされたものであり、空気の循環効率を高めることができる拡散器を提供することを目的とするものである。
【課題を解決するための手段】
【０００７】
前記課題を解決するために本発明の拡散器にあっては、容器体がセットされる拡散器本体に、前記容器体の吸上芯を加熱する加熱部と、前記吸上芯より蒸散した薬剤を外部に揮散する揮散穴と、当該拡散器本体内に空気を取り込む為の空気取入口とが設けられた拡散器において、前記空気取入口を、前記加熱部が設けられた高さ位置と前記揮散穴が設けられた高さ位置との間に設ける一方、前記拡散器本体に、該拡散器本体の内側面に沿ってスライドして前記空気取入口の開口面積を可変するスライド板を設け、前記内側面に対向するとともに該内側面との間に通流経路を形成する対向面を前記スライド板に設け、当該対向面によって前記空気取入口と前記加熱部との間に配置される邪魔板を構成した。
【０００８】
すなわち、拡散器本体内に空気を取り込む為の空気取入口は、容器体の吸上芯を加熱する加熱部の高さ位置と揮散穴の高さ位置との間に設けられており、空気取入口が拡散器本体の下方に設けられた場合と比較して、前記空気取入口から前記加熱部までの離間距離を短くすることができる。
【０００９】
このため、前記空気取入口から加熱部までの経路長を短くすることができ、前記空気取入口から取り込まれた空気が前記加熱部で加熱され揮散穴から放出されるまでの循環効率が高められる。
【００１１】
また、前記空気取入口と前記加熱部との間には、邪魔板が設けられており、前記空気取入口に異物が挿入された場合であっても、前記加熱部への接触が防止される。
【００１３】
さらに、前記拡散器本体には、該拡散器本体の内側面に沿ってスライドされるスライド板が設けられており、前記空気取入口の開口面積を、前記スライド板で可変することができる。これにより、前記空気取入口から取り込まれる空気量が調整され、これに伴って前記揮散穴から揮散量が調整される。
【００１４】
そして、前記スライド板には、空気取入口の開口状態において、前記内側面に対向するとともに、該内側面との間に通流経路を形成する対向面が設けられており、該対向面によって前記邪魔板が構成されている。
【００１５】
これにより、前記スライド板と前記邪魔板とを個別に設けた場合と比較して、省スペース化が図られる。
【００１６】
また、前記スライド板のスライド阻害要因となり得る前記邪魔板を当該スライド板に設けることによって、前記邪魔板を当該スライド板と共にスライドすることができる。これにより、前記邪魔板による異物挿入防止効果を維持しつつ、前記スライド板のスライドが可能とされる。
【発明の効果】
【００１７】
以上説明したように本発明の拡散器にあっては、空気取入口から加熱部までの経路長を短くすることで、前記空気取入口から取り込まれた空気を前記加熱部で加熱して揮散穴から放出するまでの循環効率を高めることができる。
【００１８】
これにより、揮散効率を高めることができる。
【００１９】
また、前記空気取入口と前記加熱部との間に、邪魔板を設けることによって、前記空気取入口に異物が挿入された場合であっても、前記加熱部への接触を防止することができる。
【００２０】
これにより、前記加熱部や、その周辺で生じ得る障害の発生を未然に防止することができる。
【００２１】
さらに、スライド板をスライドして空気取入口の開口面積を可変するこで、前記空気取入口から取り込まれる空気量を調整することができる。
【００２２】
これにより、前記揮散穴からの揮散量を調整することができる。
【００２３】
そして、前記スライド板に、前記拡散器本体の内側面に対向するとともに該内側面との間に通流経路を形成する対向面を設けることによって前記邪魔板を構成したので、前記スライド板と前記邪魔板とを個別に設ける場合と比較して、省スペース化を図ることができる。
【００２４】
また、前記スライド板のスライド阻害要因となり得る前記邪魔板を前記スライド板に設けることによって、前記邪魔板を当該スライド板と共にスライドすることができる。これにより、前記邪魔板による異物挿入防止効果を維持しつつ、前記スライド板のスライドを自在とすることができる。
【発明を実施するための最良の形態】
【００２５】
以下、本発明の一実施の形態を図に従って説明する。図１は、本実施の形態にかかる拡散器としての芳香器１を示す図である。該芳香器１は、芳香器本体２にセットされた容器体としての薬剤瓶３内の液状薬剤を気化して放出する装置であり、当該芳香器１は、トイレや居住空間で使用されるものである。
【００２６】
この芳香器１の芳香器本体２は、図２にも示すように、後壁面を形成する後カバー１１と、該後カバー１１の前側に取り付けられる前カバー１２と、該前カバー１２と前記後カバー１１との間に配置される内部構成体１３とで構成されている。
【００２７】
前記後カバー１１は、光を透過しない有色の不透明な樹脂によって前方が開口した容器状に形成されており、その下部には、切欠部２１が設けられている。前記後カバー１１は、上部が断面円弧状に形成されており、その中央部には、薬剤を揮散する為の揮散穴２２が開設されている。
【００２８】
また、前記後カバー１１の上部には、内側に延出する一対の係止ピン３１，３１が前記揮散穴２２より前方側に設けられており、当該後カバー１１の側面には、前後方向に延在する上部フランジ３２，３２と、下部フランジ３３，３３とが左右の部位に設けられている。前記下部フランジ３３，３３の前端部には、円形穴３４，３４が設けられており、固定用のタッピンねじを挿通できるように構成されている。
【００２９】
この後カバー１１の側面上部には、図３及び図４にも示すように、複数のスリット４１，・・・からなる空気取入口４２，４２が左右に形成されており、該空気取入口４２，４２から芳香器本体２内に外部の空気を取り込めるように構成されている。前記空気取入口４２，４２の各スリット４１，・・・は、断面円弧状に形成された前記後カバー１１の上部に設けられており、当該後カバー１１の下部側面に設けられた場合と比較して、当該芳香器本体２の中心Ｃ寄りに配置されるように構成されている。
【００３０】
前記後カバー１１には、図５及び図６に示すように、軸部４４を介してスライド板４５が支持されており、スライド板４５は、前記軸部４４を中心に回動できるように構成されている。
【００３１】
前記スライド板４５には、前記軸部４４で支持された支持部６１と、該支持部６１より左右斜め上方に延出した延出部６２，６２とからなり、各延出部６２，６２は、前記左右の空気取入口４２，４２へ向けて延出している。各延出部６２，６２には、前記後カバー１１の内側面に沿って延在するように湾曲しており、各延出部６２，６２の左方には、前記後カバー１１の内側面に密着的に配置され前記空気取入口４２，４２を開閉する開閉面６３，６３が形成されている。また、各開閉面６３，６３の右方には、内側に後退した段差部６４，６４を介して、前記後カバー１１の内側面に対向する対向面６５，６５が形成されており、該対向面６５，６５と前記後カバー１１の内側面間に形成された間隙には、前記空気取入口４２，４２からの空気が通流する通流経路６６，６６が形成されている。
【００３２】
そして、前記スライド板４５には、操作ノブ４６が突設されており、該操作ノブ４６は、前記後カバー１１に設けられた挿通穴４７を介して外部に延出している（図１及び図２参照）。
【００３３】
これにより、前記操作ノブ４６を操作して前記スライド板４５を前記軸部４４を中心に反時計回りに回動した際には、前記延出部６２，６２の前記対向面６３，６３が各空気取入口４２，４２を覆いつつ、前記空気取入口４２，４２からの空気の取り入れは許容するように構成されている。また、前記操作ノブ４６を操作して前記スライド板４５を前記軸部４４を中心に時計回りに回動した際には、その回動角度に応じて前記延出部６２，６２の前記開閉面６３，６３が各空気取入口４２，４２を構成する各スリット４１，・・・の開口面積を可変するように構成されている。
【００３４】
前記後カバー１１の下部には、図２に示したように、一対の矩形穴７１が設けられており、前記内部構成体１３に設けられたコンセントフラグ７２，７２を前記矩形穴７１，７１を介して、当該後カバー１１より後方へ延出できるように構成されている。
【００３５】
前記内部構成体１３は、光を透過する透光性を有した半透明の樹脂で形成されており、図２及び図７に示すように、中央部に設けられた中央板８１を中心に構成されている。該中央板８１の左右側縁部は、一般部８２より一段高い段差面８３，８３が形成されており、当該中央板８１が補強されている。
【００３６】
該中央板８１には、上方に膨出した円形膨出部９１が形成されており、該円形膨出部９１には、その下方から前記薬剤瓶３の首部が挿入されるように構成されている。前記中央板８１の後縁には、下方に垂下する挟持板９２が設けられており、該挟持板９２と前記中央板８１に形成された前記段差面８３との間には、間隙８４，８４が形成されている。
【００３７】
前記挟持板９２は、前記前カバー１２の下部と対向するように構成されており、当該挟持板９２は、前記前カバー１２との間に配置された前記薬剤瓶３の瓶本体９５を前記前カバー１２と共に前後から挟持できるように構成されている。これにより、前記挟持板９２と前記前カバー１２とで挟持された前記薬剤瓶３は、図７及び図８に示すように、その首部が前記円形膨出部９１に挿入された状態で保持されるとともに、前記首部より延出した吸上芯９６が前記円形膨出部９１に設けられた支持穴９７を介して上方へ延出するように構成されている。
【００３８】
前記中央板８１の後縁部には、矩形状の支柱１０１が前記円形膨出部９１に沿って立設されており、この支柱１０１の上端部には、ヒータ１０２が設けられている。該ヒータ１０２は、前記支柱１０１に支持部材１０３を介して設けられており、当該ヒータ１０２は、前記円形膨出部９１に設けられた前記支持穴９７の真上に配置されるように構成されている。このヒータ１０２は、その加熱部１０４が円筒状に形成されており、前記薬剤瓶３より延出した前記吸上芯９６の外周部を包囲する位置に配置されている。これにより、前記吸上芯９６で吸い上げられた薬剤を前記ヒータ１０２で加熱することで、当該薬剤の蒸散を促進するとともに、蒸散した薬剤を前記揮散穴２２を介して外部に揮散できるように構成されている。
【００３９】
前記ヒータ１０２の前記加熱部１０４は、図４に示したように、その下縁が前記空気取入口４２，４２の下段のスリット４１より低くなるように配置されている。これにより、前記空気取入口４２，４２の各スリット４１，・・・は、前記加熱部１０４が設けられた高さ位置Ｌと、前記揮散穴２２が設けられた高さ位置Ｈとの間に配置されるように構成されている。また、前記スライド板４５に設けられた前記延出部６２，６２の前記対向面６５，６５が前記各空気取入口４２，４２を覆った状態では、図６に示したように、当該対向面６５，６５が、前記空気取入口４２，４２と前記加熱部１０４との間に配置された邪魔板を構成するように設定されている。
【００４０】
前記支持部材１０３には、前記ヒータ１０２の電極１１１，１１１が設けられており、該電極１１１，１１１は、接続線１１２，１１２を介して制御基板１１３に接続されている。該制御基板１１３は、前記挟持板９２の裏面に沿って固定されており、当該制御基板１１３の下部には、家庭用のＡＣコンセントに差し込まれる前記コンセントプラグ７２，７２が設けられている。
【００４１】
また、この制御基板１１３には、前記ＡＣコンセントから供給された電源で発光する発光体としての発光ダイオード１２１，１２２が一対接続されており、各発光ダイオード１２１，１２２は、前記円形膨出部９１の両脇に設けられたリブ１２３，１２３に係止された状態で固定されている。これにより、前記両発光ダイオード１２１，１２２が、前記支柱１０１及び前記ヒータ１０２より前カバー１２側に配置されるように構成されている。
【００４２】
また、前記円形膨出部９１の側部には、サブ基板１３１が設けられており、該サブ基板１３１は、前記制御基板１１３に接続されている。該サブ基板１３１には、スイッチ１３２が設けられており、該スイッチ１３２に設けられた操作部１３３は、図２に示したように、前記後カバー１１に設けられたスイッチ穴１３４を介して、当該後カバー１１の側部に突出するように構成されている。
【００４３】
前記円形膨出部９１に設けられた各リブ１２３，１２３の端部には、図５及び図６に示すように、上下に延在する円筒部１４１，１４１が形成されており、該円筒部１４１，１４１は、前記段差面８３を貫通して下方に開口するように構成されている。これにより、前記段差面８３の下方から挿入された固定用のタッピンねじを前記円筒部１４１，１４１に螺入できるように構成されている。
【００４４】
前記前カバー１２は、図２及び図９に示すように、前記内部構成体１３と同様に光を透過する透光性を有した半透明の樹脂で形成されており、該前カバー１２は、縦長の楕円形状に形成されている。この前カバー１２の前面は、緩やかに湾曲した凹凸の無い平坦面で構成されており、その周縁部には、凸条部１５１が全周に渡って形成されている。これにより、この凸条部１５１の内側は、フィルム等の貼着物を貼着可能な貼着面１５２を構成している。
【００４５】
前記前カバー１２の上部には、後方に延出した上部支持片１６１，１６１が設けられており、両上部支持片１６１，１６１には、係止穴１６２，１６２が設けられている。この上部支持片１６１，１６１の前記係止穴１６２，１６２には、前記後カバー１１に突設された前記係止ピン３１，３１が挿入された状態で係止されるよう構成されており（図２参照）、当該前カバー１２の上部を前記後カバー１１に固定できるように構成されている。
【００４６】
この前カバー１２の下部中央には、突出部１７１が突設されており、該突出部１７１は、図３に示したように、前記薬剤瓶３の前記瓶本体９５に設けられた凸部１７２を下方から支持し、当該薬剤瓶３の不用意な離脱を防止できるように構成されている。前記突出部１７１の両脇には、図９に示したように、後方に延出する下部支持片１７３，１７３が設けられており、両下部支持片１７３，１７３は、断面Ｌ字状に形成されている。各下部支持片１７３，１７３には、円形の貫通穴１７４，１７４が設けられており、固定用のタッピンねじを挿通できるように構成されている。
【００４７】
これにより、図６に示したように、前記後カバー１１の前記上部フランジ３２，３２と前記下部フランジ３３，３３との間に、前記円形膨出部９１を挿入した状態で当該内部構成体１３を前記後カバー１１にセットした際に、前記後カバー１１の前記下部フランジ３３，３３と前記内部構成体１３の前記段差面８３，８３との間に隙間１８１が形成されるように構成されており、この隙間１８１に、図３に示したように、前記前カバー１２の前記下部支持片１７３，１７３を挿入した状態で、前記後カバー１１の前記下部フランジ３３に設けられた前記円形穴３４の中心と、前記前カバー１２の前記下部支持片１７３に設けられた前記貫通穴１７４の中心と、前記内部構成体１３の前記段差面８３に形成された前記円筒部１４１の中心とが一致するように構成されている。また、この状態において、前記後カバー１１の前記下部フランジ３３における前記円形穴３４にタッピンねじを挿入することで、当該タッピンねじを前記内部構成体１３の前記円筒部１４１に螺入できるように構成されており、このタッピンねじで前記後カバー１１と前記前カバー１２と前記内部構成体１３とを固定できるように構成されている。
【００４８】
そして、前記後カバー１１と前記前カバー１２と前記内部構成体１３とを固定する固定位置１９１は、前記各発光ダイオード１２１，１２２の下部であって、各発光ダイオード１２１，１２２の発光面より前記後カバー１１側に設定されている。また、この固定状態において、前記内部構成体１３に設けられた前記各発光ダイオード１２１，１２２から前記前カバー１２までの間は、空き空間１９２となるように構成されている。
【００４９】
以上の構成にかかる本実施の形態において、前記芳香器本体２内に空気を取り込む為の空気取入口４２，４２は、薬剤瓶３の吸上芯９６を加熱する加熱部１０４の高さ位置Ｌと揮散穴２２の高さ位置Ｈとの間に設けられており、空気取入口４２，４２が芳香器本体２の下方に設けられた場合と比較して、前記空気取入口４２，４２から前記加熱部１０４までの離間距離を短くすることができる。
【００５０】
これにより、前記空気取入口４２，４２から前記加熱部１０４までの経路長を短くすることができ、前記空気取入口４２，４２から取り込まれた空気が前記加熱部１０４で加熱され揮散穴２２から放出されるまでの循環効率を高めることができる。
【００５１】
これにより、揮散効率を高めることができる。
【００５２】
また、前記空気取入口４２，４２と前記加熱部１０４との間に、前記スライド板４５の対向面６５が構成する邪魔板を設けることによって、前記空気取入口４２，４２に、針金など異物が挿入された場合であっても、前記加熱部１０４への接触を防止することができる。
【００５３】
これにより、前記加熱部１０４や、その周辺の配線等で生じ得る障害の発生を未然に防止することができる。
【００５４】
さらに、前記芳香器本体２には、該芳香器本体２の内側面に沿ってスライドされるスライド板４５が設けられており、前記空気取入口４２，４２の開口面積を、前記スライド板４５の開閉面６３，６３で可変することができる。
【００５５】
これにより、前記空気取入口４２，４２から取り込まれる空気量を調整することができ、前記揮散穴２２からの揮散量を調整することができる。
【００５６】
そして、前記スライド板４５には、前記後カバー１１の内側面に対向するとともに、該内側面との間に通流経路６６，６６を形成する対向面６５，６５が設けられており、該対向面６５，６５によって邪魔板が構成されている。このため、前記スライド板４５と前記邪魔板とを個別に設けた場合と比較して、省スペース化を図ることができる。
【００５７】
また、前記スライド板４５のスライド阻害要因となり得る前記邪魔板を当該スライド板４５に設けることによって、前記邪魔板を構成する前記対向面６５を当該スライド板４５と共にスライドすることができる。これにより、前記対向面６５による異物挿入防止効果を維持しつつ、前記スライド板４５のスライドを自在とすることができる。
【００５８】
なお、本実施の形態では、芳香器１について説明したが、殺虫剤を拡散させる殺虫剤、防虫剤を拡散させる防虫器、消臭剤を拡散させる消臭器等にも使用できる。
【図面の簡単な説明】
【００５９】
【図１】本発明の一実施の形態を示す斜視図である。
【図２】同実施の形態の分解斜視図である。
【図３】同実施の形態の要部の断面図である。
【図４】同実施の形態の前カバーと内部構成体とスライド板とを外した状態を示す正面図である。
【図５】同実施の形態の前カバーと内部構成体と薬剤瓶とを外した状態を示す正面図である。
【図６】同実施の形態の前カバーを外した状態を示す正面図である。
【図７】同実施の形態の内部構成体を示す側面図である。
【図８】同実施の形態の内部構成体を示す平面図である。
【図９】同実施の形態の前カバーを示す斜視図である。
【符号の説明】
【００６０】
１    芳香器
２    芳香器本体
３    薬剤瓶
２２    揮散穴
４２    空気取入口
４５    スライド板
６５    対向面
６６    通流回路
９６    吸上芯
１０４    加熱部
【図１】
0004727407.tif 000002
【図２】
0004727407.tif 000003
【図３】
0004727407.tif 000004
【図４】
0004727407.tif 000005
【図５】
0004727407.tif 000006
【図６】
0004727407.tif 000007
【図７】
0004727407.tif 000008
【図８】
0004727407.tif 000009
【図９】
0004727407.tif 000010